(57)【要約】【課題】身体に装着容易な磁気治療シートを提供するとと。【解決手段】シート地１に磁性体層２と結合材とを形成し、前記シート地１を身体の一部に装着容易とするために、係止手段２１を形成した。前記係止手段２１によって、身体の一部に装着が容易となる。また、肌着等の内側に係止させて装着が容易となる。また、前記磁性体は、鋳造磁石（金属系磁石）、フェライト磁石（酸化物系磁石）、もしくは希土類磁石（希土類系磁石）  の少なくとも何れかを含んでいる。【選択図】            図２
2004147970.tif 000002
【特許請求の範囲】
【請求項１】
シート地の少なくとも何れかの一面に磁性体層が形成されてなる磁気治療シートにおいて、
前記磁性体層は、磁性体と結合材とが混合されてなることを特徴とする磁気治療シート。
【請求項２】
前記磁性体は、鋳造磁石（金属系磁石）、フェライト磁石（酸化物系磁石）、もしくは希土類磁石（希土類系磁石）  の少なくとも何れかを含んでいることを特徴とする請求項１に記載の磁気治療シート。
【請求項３】
前記磁性体は、粉末磁性体としたことを特徴とする請求項２に記載の磁気治療シート。
【請求項４】
前記結合材には、薬効成分を含有してなることを特徴とする請求項１に記載の磁気治療シート。
【請求項５】
前記結合材には、赤外線もしくは遠赤外線放射材を含有してなることを特徴とする請求項１または４の何れかに記載の磁気治療シート。
【請求項６】
前記シート材は、伸縮性のシート材としたことを特徴とする請求項１乃至５の何れかに記載の磁気治療シート。
【請求項７】
前記シート材は、人体の一部に巻回可能なバンド状に形成されていることを特徴とする請求項１乃至５の何れかに記載の磁気治療シート。
【請求項８】
前記シート材の外側面には、衣服に係止可能な係止手段が形成されていることを特徴とする請求項１乃至５の何れかに記載の磁気治療シート。
【請求項９】
前記係止手段は、粘着剤層で構成されていることを特徴とする請求項８に記載の磁気治療シート。
【請求項１０】
前記係止手段は、面ファスナーで構成されていることを特徴とする請求項８に記載の磁気治療シート。
【発明の詳細な説明】
【０００１】
【産業上の利用分野】
本発明は、腰痛・肩凝り等の神経痛や筋肉痛の鎮痛と消炎等を目的として用いる磁気治療シートの製造方法に関するものである。
【０００２】
【従来の技術】
従来より知られている治療シートとしては、伸縮性のある布地の片面に、鎮痛消炎効果を有する薬剤を有効量混入して粘着性物質を塗布したものが一般的であり、このような湿布剤は粘着性物質の塗布面を患部に当てて、そのまま使用したり、粘着テープを用いて貼りつけたりして使用されている。
【０００３】
また、磁力線が、腰痛や肩凝り等に対する効果が得られることが、従来より知られており、例えば、直径５ｍｍ・厚さ２ｍｍ程度の円板状の磁石を患部に粘着テープを用いて貼付するタイプの磁気治療器も知られている。しかし、これは磁性体を布地等のベースに担架する手段として、粘着性物質に混入するという手段を講じたので、粘着部分と磁気効果のある部分とが必ず一致するため、特定の部位に磁気効果を及ぼそうという場合に適さないという問題や、磁性体が粘着性物質の中に混在するので、磁気が分散し、有効な磁気による治療効果が得られにくいという問題等があった。
【０００４】
そこで、薬剤による湿布の効果と磁気治療器による効果の双方の効果を併せ持ち、広い部位に磁気効果を及ぼすことのできるように、粉末磁性体による磁性体層を備えた磁気治療シートを実願平３−９５１５２，実願平３−９５１５３，特願平５−４１０１１，特願平６−２５３６６１の出願において提案した。また、特願平５−４１０１１においては、磁性体層を形成する方法として、磁性体粉末を印刷や塗布によって形成する製造方法を提案した。（例えば、特許文献１参照）
【０００５】
【特許文献１】特開平３−９５１５２号公報
【０００６】
【発明が解決しようとする課題】
本発明は、優れた磁気治療効果が得られるとともに、身体への装着が容易な磁気治療シートを提供することを課題として発明されたものである。
【０００７】
【課題を解決するための手段】
請求項１の発明では、シート地の少なくとも何れかの一面に磁性体層が形成されてなる磁気治療シートにおいて、前記磁性体層は、磁性体と結合材とが混合されている。
請求項２の発明では、前記磁性体は、鋳造磁石（金属系磁石）、フェライト磁石（酸化物系磁石）、もしくは希土類磁石（希土類系磁石）  の少なくとも何れかを含んでいる。
【０００８】
（１）鋳造磁石（金属系磁石）は、
鋳造磁石とは、鉄を基とする合金を熱処理することにより得られる磁石で、アルニコ磁石とＦｅ−Ｃｒ−Ｃｏ磁石とがある。他に、バイカロイ，Ｃｕ−Ｎｉ−Ｆｅ，Ｃｕ−Ｎｉ−Ｃｏ，Ｐｔ−Ｃｏ磁石などがあるが、これらはほとんど生産されていない。
アルニコ磁石は、ＭＫ鋼（１９３３年）や新ＫＳ鋼（１９３４年）といった日本人が開発した磁石を基に開発された。１９４０年のアルニコ５により爆発的に利用されるようになり、１０ＭＧＯｅまで高性能化されている。組成はＦｅ−Ａｌ−Ｎｉ−Ｃｏ（−Ｃｕ−Ｔｉ）である。しかし、１９８０年を境に生産量は減少している。
Ｆｅ−Ｃｒ−Ｃｏ磁石は、熱間・冷間加工ができることが特徴で、１９７１年に開発された。
【０００９】
（２）フェライト磁石（酸化物系磁石）とは、フェリ磁性を利用した酸化物磁石である。その起源は、１９３３年に日本で開発されたＯＰ磁石である。磁気特性は低いものの安価なためコストパフォーマンスに優れ、様々な応用分野に幅広く用いられている。組成で分類するとＢａフェライト磁石とＳｒフェライト磁石が、製法で分類すると焼結磁石とボンド磁石がある。
現在、磁石材料として用いられているのは、Ｂａフェライト（ＢａＯ・６Ｆｅ２Ｏ３）またはＳｒフェライト（ＳｒＯ・６Ｆｅ２Ｏ３）である。
仮焼成して得られた六方晶フェライトを１μｍ以下の微分末とし、プレス成形の後焼結して得られる。磁気特性は〜５ＭＧＯｅ。
一方、微粉末を樹脂やゴムで結合したボンド磁石がある。磁気特性は２ＭＧＯｅ以下と低いが、リング形状などが容易に得られる。
【００１０】
（３）希土類磁石（希土類系磁石）は、希土類金属と遷移金属からなる金属間化合物を利用した高性能な永久磁石である。
磁気特性が最も高いが高価なことから、高性能化や小型化を求める分野を中心に応用分野を広げている。組成で分類するとＳｍ−Ｃｏ磁石とＮｄ−Ｆｅ−Ｂ磁石があり、製法で分類すると焼結磁石とボンド磁石がある。
Ｓｍ−Ｃｏ系には、ＳｍＣｏ５系とＳｍ２Ｃｏ１７系の二種類があり、３０ＭＧＯｅの高い磁気特性が特徴となっている。
【００１１】
請求項３の発明では、前記磁性体は、粉末磁性体とした。
請求項４の発明では、前記結合材には、薬効成分を含有している。
請求項５の発明では、前記結合材には、赤外線もしくは遠赤外線放射材を含有している。
【００１２】
請求項６の発明では、前記シート材は、伸縮性のシート材とした。
請求項７の発明では、前記シート材は、人体の一部に巻回可能なバンド状に形成されている。
請求項８の発明では、前記シート材の外側面には、衣服に係止可能な係止手段が形成されている。
請求項９の発明では、前記係止手段は、粘着剤層で構成されている。
請求項１０の発明では、前記係止手段は、面ファスナーで構成されている。
【００１３】
【作用】
本発明の磁気治療シートでは、磁性体層は、磁性体と結合材とが混合され、前記磁性体は、鋳造磁石（金属系磁石）、フェライト磁石（酸化物系磁石）、もしくは希土類磁石（希土類系磁石）  の少なくとも何れかを含んでいるので、磁性体は結合材によってシート体に結合された状態で保持される。
そして、磁性体による磁気治療作用が得られる。
また、粉末磁性体が酸化する可能性がある場合には、結合材に酸化防止剤（防錆剤等）を混入するとよい。なお、粉末磁性体が酸化する可能性がない場合には、当然結合材に酸化防止剤（防錆剤等）を混入する必要はない。
【００１４】
また、前記結合材には、薬効成分を含有することによって種々の薬効が得られる。
また、前記結合材には、赤外線もしくは遠赤外線放射材を含有することによって温熱効果が得られる。
【００１５】
また、前記シート材は、伸縮性のシート材としたので、関節等の伸縮部分に装着できる。
また、前記シート材は、人体の一部に巻回可能なバンド状に形成することによって、腕や脚に装着することができる。
また、前記シート材の外側面には、衣服に係止可能な係止手段が形成されているので、外側面を肌着等の内面に係止させて、磁性体面を身体側に向けて装着できる。
また、前記係止手段は、粘着剤層や、面ファスナーで構成されているので上記作用が得られる。
【００１６】
【実施例】
以下に、本発明の磁気治療シートを、その実施例の断面図に基づいて詳細に説明する。
図１は上記磁気治療シート１０の断面図である。図において、１はベースとなるシート地であり伸縮性のある布地で構成されている。２は磁性体層、３は粘着性物質層、４はポリエチレンシート、５１は粉末磁性体、５２は結合材である。
【００１７】
シート地１としては伸縮性のある不織布が適しているが、それに限らず種々のシート材が使用できる。磁性体層２としては、Ｓｍ２  Ｃｏ１７合金を酸化防止剤と接着物質と混合したバインダーと混ぜたものを、プリント印刷によって前記布地１に付着させたものが好ましい。酸化防止剤としては、シリコン等のようにコバルト等の金属の酸化を防止するものであれば何でもよい。例えば、硫化テルペン，硫化アルキルフェノールおよびそのカルシウム塩等のイオウ化合物、もしくは、亜リン酸トリブチル，亜リン酸トリフェニル等のリン化合物、もしくは、ジチオリン酸塩等のイオウ−リン化合物、もしくは、ピネン，ポリブテン，セレン化ジアルキル，フェノチアジン等の金属不活性化剤の何れかを適宜選択して使用することが可能である。
酸化する可能性が無い場合には酸化防止材は不要である。
【００１８】
粘着性物質層３としては、天然ゴムや酸化亜鉛を含む粘着性樹脂等の粘着性物質だけでもよいが、ポリアクリル酸ナトリウム，ソルビトール，プロピレングリコール，ゼラチン等を含んだ薬剤や、ｌ−メントール０．５  ｇ、ｄｌ−カンフル１．０ｇ  、およびハッカ油０．５  ｇ  を有効成分として含有する鎮痛消炎効果をもつ薬剤を混入した粘着性物質を用いてもよい。また、前記磁性体層２と混合してもよい。
【００１９】
結合材５２には、イオンを発生させるためのゲルマニウムを含ませてもよい。また、遠赤外線を放射するためのセラミックを含ませてもよい。前記ポリエチレンシート４によって前記薬剤が混入された粘着性物質層３の乾燥を防止する。
【００２０】
なお、前記構造の磁性体層２をプリント印刷によって形成する方法においては、プリント印刷のインクの代わりに、磁性体粉末を接着物質と混合したものを用いて、通常のプリント印刷工程で印刷するのである。
そして、上記構成の磁気治療シート１０を得た後に、強い磁界を加えて前記磁性体層２を、０．５  ガウス以上に着磁するのである。
【００２１】
以上のようにして製造した磁気治療シート１０を使用するときは、適当な大きさ形状に裁断等して、ポリエチレンシート４を剥がして、患部に貼付すると、粘着性物質層３によって患部に貼り付いて離れない。そして、０．５ガウス以上の磁力を備えた磁性体層２によって形成される磁場と粘着性物質層３に含まれる鎮痛消炎効果をもつ薬剤とが、皮下の組織に作用して患部の鎮痛および消炎の相乗的な効果が得られるのである。
【００２２】
シート地１として伸縮性の高い素材を用いることにより、関節等の部位に貼付しても剥がれにくい。特に、磁性体層２のコバルト粉末は酸化防止剤によって酸化が防止されているので、長時間に渡って酸化して錆びることなく所期の磁場が得られるという持続的な効果が得られる。
【００２３】
なお、図２に示したように、粘着性物質層を形成しないで、シート地１の外側面に面ファスナー等による係止手段２１を形成したものでもよい。この場合の磁気治療シート２０は、肌着等の衣類の内側に係止させて使用することができる。
また、粘着性物質層も、係止手段も形成せずに、シート地を構成すれば、衣類等の素材として応用範囲が広がる。
従って、パンツや肌着の一部に本発明の磁気治療シートを使用するとよい。
【００２４】
また、図３に示したように、人体の一部に巻回可能なバンド状の磁気治療シート３０としてもよい。この磁気治療シート３０の場合には、内側に磁性体層３１が形成されている。
この磁気治療シート３０は環状でもよいが、開いて取り外したり、巻いて装着したりできるように着脱構造を備えても良い。
【００２５】
なお、前記磁性体層２には粘着性物質を含んでいてもよく、更には薬効成分を含んでいてもよい。薬剤を含有していなくても、磁性体層６によって磁気効果は得られるのである。その他、布地の両面に磁性体層と粘着性物質層を形成してもよい。また、前記磁性体層を形成するときには、プリント印刷に限らず、吹きつけて付着形成してもよく、塗布して形成してもよい。
【００２６】
【発明の効果】
このようにして、本発明の磁気治療シートによれば、磁気治療効果の得られる磁気治療シートを得ることができる。
特に、衣服や身体の一部に係止して効果的に使用することができる。
【図面の簡単な説明】
【図１】本発明にかかる磁気治療シートの実施の形態の構成を示した構成図である。
【図２】別の実施形態の構成図である。
【図３】別の実施形態の側面断面図である。
【符号の説明】
１０  磁気治療シート
２０  磁気治療シート
３０  磁気治療シート
１  シート地
２  磁性体層
３  粘着性物質層
４  ポリエチレンシート
５  結合材
【図１】
2004147970.tif 000003
【図２】
2004147970.tif 000004
【図３】
2004147970.tif 000005